(57)【要約】【課題】より高度で多機能な記録装置のユーザインタフェース機能を、高い操作性と利便性を実現しつつシンプルかつコンパクトな構成のユーザインタフェース手段で実現する。【解決手段】ファンクションキー１７、１８には、液晶ディスプレイ２１に択一的に表示される複数の操作画面ごとに当該操作画面で必要とされる既定の機能が自動的に割り当てられる。また、操作画面ごとにファンクションキー１７、１８にそれぞれ自動的に割り当てられる既定の機能の一部を操作画面ごとに、ユーザが任意に選択した他の機能に変更することができる。例えば、ファンクションキー１７を３秒以上長押しすると、割り当て変更機能の設定画面が表示部に表示されて、ファンクションキー１７に割り当てられる既定の機能を他の機能に変更することが可能な状態となる。【選択図】図３
2008001026.tif 000002
【特許請求の範囲】
【請求項１】
操作部及び表示部を有するユーザインタフェース手段と、被記録材への記録を実行可能な記録実行手段と、前記ユーザインタフェース手段におけるユーザ操作に基づく前記記録実行手段による被記録材への記録制御を実行する記録制御装置とを備えた記録装置であって、
前記記録制御装置は、前記操作部のうち特定の操作手段に対して、前記表示部に択一的に表示される複数の操作画面ごとに当該操作画面で必要とされる既定の機能を自動的に割り当てる自動割り当て機能と、
該自動割り当て機能により自動的に割り当てられる既定の機能の一部を操作画面ごとにユーザが任意に選択した他の機能に変更することが可能な割り当て変更機能とを有している、ことを特徴とした記録装置。
【請求項２】
請求項１に記載の記録装置において、前記特定の操作手段に割り当てられている機能を前記表示部に表示されている操作画面に表示する機能を有している、ことを特徴とした記録装置。
【請求項３】
請求項１又は２に記載の記録装置において、前記割り当て変更機能は、前記表示部に表示される機能一覧表示から所望の機能をユーザが選択して設定可能な構成を有するとともに、前記機能一覧表示には、当該操作画面において利用可能な機能だけが選択可能に表示される、ことを特徴とした記録装置。
【請求項４】
請求項１〜３のいずれか１項に記載の記録装置において、前記割り当て変更機能による機能変更設定を不揮発性メモリに保存可能な構成を有している、ことを特徴とした記録装置。
【請求項５】
請求項１〜４のいずれか１項に記載の記録装置において、前記特定の操作手段は、一又は二以上の押しボタンで構成され、前記記録制御装置は、前記押しボタンが一定時間以上長押しされた場合に当該押しボタンに対する前記割り当て変更機能の設定画面を前記表示部に表示する機能を有している、ことを特徴とした記録装置。
【請求項６】
操作部及び表示部を有するユーザインタフェース手段と、被記録材への記録を実行可能な記録実行手段とを備えた記録装置において、前記ユーザインタフェース手段におけるユーザ操作に基づく前記記録実行手段による被記録材への記録制御をコンピュータに実現させるための記録制御プログラムであって、
前記操作部のうち特定の操作手段に対して、前記表示部に択一的に表示される複数の操作画面ごとに当該操作画面で必要とされる既定の機能を自動的に割り当てる自動割り当て機能と、
該自動割り当て機能により自動的に割り当てられる既定の機能の一部を操作画面ごとにユーザが任意に選択した他の機能に変更することが可能な割り当て変更機能とを実現する、ことを特徴とした記録制御プログラム。
【発明の詳細な説明】
【技術分野】
【０００１】
本発明は、操作部及び表示部を有するユーザインタフェース手段と、被記録材への記録を実行可能な記録実行手段とを備えた記録装置に関する。
【背景技術】
【０００２】
例えば、パーソナルコンピュータ等の操作入力手段として公知のキーボードには、いわゆるファンクションキーと呼ばれるキーが設けられている。この公知のファンクションキーは、最初から特定の記号や機能が割り当てられているわけではなく、アプリケーションソフトやＯＳ（オペレーティングシステム）が必要とする機能を自由に割り当てることができるものである。また、アプリケーションソフトやＯＳ（オペレーティングシステム）によっては、必要とする機能の中からユーザが任意の機能を選択して割り当てることもできる。このようなファンクションキーに相当する機能を備えた記録装置の一例としては、ユーザファンクションキーを備えたファクシミリ装置が公知である（例えば、特許文献１及び特許文献２を参照）。
【０００３】
例えば、特許文献１に開示されているファクシミリ複合装置は、複数のユーザファンクションキーを備えており、そのうちの一つのキーによって機器の動作モード（ファクシミリモードとプリンタモード）を選択し、他のキーによってその選択されたモードの複数の機能を選択できる、というものである。また、特許文献２に開示されているファクシミリ装置は、複数の機能のうちいずれか一の機能をファンクションキーに割り当てることができ、ファンクションキーを押下すると当該割り当てた機能のＯＮ／ＯＦＦ（例えば、通信結果レポートを出力する／しない等）を交互に切り替えることができる、というものである。
【０００４】
【特許文献１】特開平０９−２０４２５６号公報
【特許文献２】特開２００２−６４６６４号公報
【発明の開示】
【発明が解決しようとする課題】
【０００５】
しかしながら、上述した従来技術においては、各ファンクションキーに対してユーザが任意の機能を選択して登録することができるが、各ファンクションキーは、ユーザが登録した一の機能だけに固定されてしまう。そのため、より高度で多機能な記録装置のユーザインタフェース機能を実現するためには、多数のファンクションキーを配設せざるを得なくなり、ユーザインタフェース手段の構成が複雑化して操作性が低下してしまうとともに、インタフェース手段の大型化により記録装置が大型化してしまう虞が生ずる。
【０００６】
本発明は、このような状況に鑑み成されたものであり、その課題は、より高度で多機能な記録装置のユーザインタフェース機能を、高い操作性と利便性を実現しつつシンプルかつコンパクトな構成のユーザインタフェース手段で実現することにある。
【課題を解決するための手段】
【０００７】
上記課題を達成するため、本発明の第１の態様は、操作部及び表示部を有するユーザインタフェース手段と、被記録材への記録を実行可能な記録実行手段と、前記ユーザインタフェース手段におけるユーザ操作に基づく前記記録実行手段による被記録材への記録制御を実行する記録制御装置とを備えた記録装置であって、前記記録制御装置は、前記操作部のうち特定の操作手段に対して、前記表示部に択一的に表示される複数の操作画面ごとに当該操作画面で必要とされる既定の機能を自動的に割り当てる自動割り当て機能と、該自動割り当て機能により自動的に割り当てられる既定の機能の一部を操作画面ごとにユーザが任意に選択した他の機能に変更することが可能な割り当て変更機能とを有している、ことを特徴とした記録装置である。
【０００８】
このように、操作部のうち特定の操作手段に対して、表示部に択一的に表示される複数の操作画面ごとに当該操作画面で必要とされる既定の機能が自動的に割り当てられるので、例えば一つの操作ボタンに対して、異なる操作画面ごとに異なる機能を割り当てることが可能になる。すなわち、複数の異なる機能を操作画面に応じて自動的に切り替えながら一つの操作ボタンで賄うといったことが可能になるので、多数の操作ボタン類を設けることなく高度で多機能なユーザインタフェース機能を実現することができる。
【０００９】
また、多数の操作ボタン類を設ける必要がないので、シンプルかつコンパクトな構成のユーザインタフェース手段が可能になる。さらに、この自動割り当て機能により自動的に割り当てられる既定の機能の一部を操作画面ごとにユーザが任意に選択した他の機能に変更することができるので、ユーザのニーズに応じて柔軟にカスタマイズすることができる。したがって、高度で多機能なユーザインタフェース機能でありながら高い操作性と利便性も実現することができる。
【００１０】
このようにして、本発明の第１の態様に記載の記録装置によれば、操作部及び表示部を有するユーザインタフェース手段と、被記録材への記録を実行可能な記録実行手段とを備えた記録装置において、より高度で多機能な記録装置のユーザインタフェース機能を、高い操作性と利便性を実現しつつシンプルかつコンパクトな構成のユーザインタフェース手段で実現することができるという作用効果が得られる。
【００１１】
本発明の第２の態様は、前述した第１の態様に記載の記録装置において、前記特定の操作手段に割り当てられている機能を前記表示部に表示されている操作画面に表示する機能を有している、ことを特徴とした記録装置である。  
このように、その操作画面において特定の操作手段に割り当てられている機能をその操作画面に表示することによって、ユーザは、その操作画面において特定の操作手段にどんな機能が割り当てられているかを容易に把握して使用することができる。したがって、ユーザの利便性をより向上させることができる。
【００１２】
本発明の第３の態様は、前述した第１の態様又は第２の態様に記載の記録装置において、前記割り当て変更機能は、前記表示部に表示される機能一覧表示から所望の機能をユーザが選択して設定可能な構成を有するとともに、前記機能一覧表示には、当該操作画面において利用可能な機能だけが選択可能に表示される、ことを特徴とした記録装置である。  
ユーザは、操作画面ごとにその操作画面において利用可能な機能だけを選択することができるので、ユーザが誤ってその選択画面において利用できない機能を割り当ててしまうことによる操作性の低下を未然に防止することができ、それによって、利便性をさらに向上させることができる。
【００１３】
本発明の第４の態様は、前述した第１〜第３の態様のいずれかに記載の記録装置において、前記割り当て変更機能による機能変更設定を不揮発性メモリに保存可能な構成を有している、ことを特徴とした記録装置である。  
このように、ユーザが変更した特定の操作手段に対する操作画面ごとの機能割り当ての設定を不揮発性メモリに保存しておくことができるので、記録装置の電源をＯＦＦしても設定を保持することができる。したがって、記録装置の電源を再びＯＮにしたときにユーザが改めて所望の機能割り当て変更を再設定する手間が生じないので、利便性をさらに向上させることができる。
【００１４】
本発明の第５の態様は、前述した第１〜第４の態様のいずれかに記載の記録装置において、前記特定の操作手段は、一又は二以上の押しボタンで構成され、前記記録制御装置は、前記押しボタンが一定時間以上長押しされた場合に当該押しボタンに対する前記割り当て変更機能の設定画面を前記表示部に表示する機能を有している、ことを特徴とした記録装置である。
【００１５】
このように、前記の自動割り当て機能及び割り当て変更機能の対象となる操作部の特定の操作手段が押しボタンで構成されており、その押しボタンを一定時間以上長押しするという簡単で分かり易い操作により、長押しされた押しボタンの割り当て変更機能の設定画面が表示部に表示されて当該機能を利用可能な状態となる。したがって、ユーザは、特定の操作手段に操作画面ごとに自動的に割り当てられる機能を所望の機能に変更することを簡単かつ分かり易い操作で行うことができるので、さらに利便性を向上させることができる。
【００１６】
本発明の第６の態様は、操作部及び表示部を有するユーザインタフェース手段と、被記録材への記録を実行可能な記録実行手段とを備えた記録装置において、前記ユーザインタフェース手段におけるユーザ操作に基づく前記記録実行手段による被記録材への記録制御をコンピュータに実現させるための記録制御プログラムであって、前記操作部のうち特定の操作手段に対して、前記表示部に択一的に表示される複数の操作画面ごとに当該操作画面で必要とされる既定の機能を自動的に割り当てる自動割り当て機能と、該自動割り当て機能により自動的に割り当てられる既定の機能の一部を操作画面ごとにユーザが任意に選択した他の機能に変更することが可能な割り当て変更機能とを実現する、ことを特徴とした記録制御プログラムである。  
本発明の第６の態様に記載の記録制御プログラムによれば、この記録制御プログラムを実行可能な任意の記録装置に、前述した第１の態様に記載の発明と同様の作用効果をもたらすことができる。
【発明を実施するための最良の形態】
【００１７】
以下、本発明の実施の形態を図面に基づいて説明する。  
まず、本発明に係る「記録装置」としてのインクジェットプリンタ５０の構成について説明する。
【００１８】
図１は、本発明に係る「記録装置」としてのインクジェットプリンタ５０の外観を示す斜視図である。
【００１９】
インクジェットプリンタ５０は、図示の如く角箱状の本体ケーシング１を備えている。本体ケーシング１は、持ち運び時の状態では本体ケーシング１の上面を閉塞し、使用時の状態（図１）では給送用トレイ４のペーパーサポートとしても機能するカバー部材６と、本体ケーシング１の上部に配設され、持ち運び時の状態において上記カバー部材６の下方に位置する上面パネル７と、本体ケーシング１の前面の一部を開口し、当該前面開口を閉塞するように開閉自在に設けられる前面カバーを兼ねた排出用スタッカ５と、本体ケーシング１の左右の側面に対して回動可能な状態で接続される門型をした手提げハンドル８とを備えている。
【００２０】
上面パネル７には、「表示部」としての液晶ディスプレイ２１と「操作部」としての各操作ボタン類を有する「ユーザインタフェース手段」としての操作パネル１０が設けられている。液晶ディスプレイ２１は、後方に倒した水平姿勢と上方に引き起こした起立姿勢又は傾斜姿勢とを切り換えることができる。上面パネル７の後部の中央部は、図示の如く矩形状に切り欠かれており、その部分が自動給送ユニット２に対して「被記録材」としての記録紙Ｐを供給するための給送用開口３になっている。また、排出用スタッカ５は、下部の左右のコーナー部に回動支点を備えており、この回動支点を中心にして約９０°の範囲に亘って上下に回動できるようになっている。本体ケーシング１の前面開口の上部には、この排出用スタッカ５を開いた状態で、デジタル画像ファイル等を保存したメモリカード等の「記憶媒体」を挿入可能に配設された「外部記憶装置」としてのメモリカードスロット９が設けられている。
【００２１】
そして、このような構成を有するインクジェットプリンタ５０に対して、ユーザが記録紙Ｐをセットした状態から操作パネル１０を操作して記録紙Ｐへの記録実行操作を行うと、後述する「記録制御装置」による記録制御が実行される。まず、給送用開口３から自動給送ユニット２によりインクジェットプリンタ５０内の用紙搬送経路（図示せず）に向けて記録紙Ｐが給送される。この用紙搬送経路に給送された記録紙Ｐは、記録ポジションに向けて案内され、図示しないプラテンによって下面が支持された状態で図示しない搬送用ローラからの駆動力を受けて搬送される。つづいて、所定の往復動方向へ往復動可能に配設されている記録ヘッド（図示せず）を往復動させながら記録ヘッドから記録紙Ｐへインクを噴射する動作と、その記録ヘッドの往復動方向と直交する搬送方向へ所定の搬送量で記録紙Ｐを搬送する動作とを交互に繰り返すことで記録紙Ｐへの記録が実行される（記録実行手段）。そして、記録実行後の記録紙Ｐは、図示しない排出用ローラからの駆動力を受けて前記搬送方向のさらに下流側に向けて搬送され、前記の排出用スタッカ５へ排出される。
【００２２】
尚、インクジェットプリンタ５０は、例えば４×６インチ以下の記録紙Ｐを対象にした極めてコンパクトで持ち運びが容易な比較的シンプルな構造を有している。また、このインクジェットプリンタ５０は、パーソナルコンピュータに接続しなくても直接記録紙Ｐに記録を実行することができる、いわゆるダイレクトプリント機能を有している。また、インクジェットプリンタ５０は、上記本体ケーシング１の下方にＣＤドライブ等を内蔵した拡張ユニット（図示せず）を取り付けることで機能拡張可能な構成を有しており、メモリカード等から取り込んだデジタル画像ファイルをＣＤ―Ｒ等に保存したり、ＣＤ―Ｒ等に保存されたデジタル画像ファイルを読み込んで記録を実行したりすることができるようになっている。
【００２３】
つづいて、液晶ディスプレイ２１を含む「ユーザインタフェース手段」としての操作パネル１０の構成及び各部の機能並びに「記録制御装置」としての記録制御部１００の構成等について説明する。
【００２４】
図２は、操作パネル１０の正面図であり、メインメニュー画面が液晶ディスプレイ２１に表示されている状態を図示したものである。  
操作パネル１０には、「表示部」としての液晶ディスプレイ２１の他、電源スイッチ１１、表示切替ボタン１２、メニューボタン１３、キャンセルボタン１４、プリント（記録実行）ボタン１５、保存ボタン１６及び２つのファンクションキー１７、１８が配設されている。また、操作パネル１０の液晶ディスプレイ２１の下側には、ＯＫボタン１９並びにそのＯＫボタン１９の周囲に上ボタンＵ、下ボタンＤ、右ボタンＲ及び左ボタンＬが図示の如く配設されている。
【００２５】
電源スイッチ１１は、インクジェットプリンタ５０の電源ＯＮ／ＯＦＦ操作を行うための操作スイッチである。表示切替ボタン１２は、液晶ディスプレイ２１に表示されている画像等の表示サイズ（６分割表示、１５分割表示、全画面表示等）を切り替えるための操作ボタンであり、この表示切替ボタン１２を押下する度に表示サイズをサイクリックに切り替えることができる。メニューボタン１３は、図示のメインメニュー画面を表示させるための操作ボタンである。キャンセルボタン１４は、操作を途中でキャンセルしたり、記録紙Ｐへの記録を途中で中断したりするための操作ボタンである。プリント（記録実行）ボタン１５は、記録紙Ｐへの記録を開始するための操作ボタンである。
【００２６】
保存ボタン１６は、前記のＣＤドライブ等の外部記憶装置３０へデジタル画像ファイルを保存するための操作ボタンである。２つのファンクションキー１７、１８は、画面ごとに異なる機能がそれぞれ割り当てられる。上ボタンＵ、下ボタンＤ、右ボタンＲ及び左ボタンＬは、液晶ディスプレイ２１の表示画面において、メニュー画面から所望の項目を選択したりデジタル写真画像の一覧から所望のデジタル写真画像を選択したりといったカーソル移動等による選択操作を行うための操作ボタンであり、ＯＫボタン１９は、上ボタンＵ、下ボタンＤ、右ボタンＲ又は左ボタンＬを操作して選択したメニュー項目やデジタル写真画像等の選択内容を確定するための操作ボタンである。
【００２７】
記録制御部１００は、ＲＯＭ（Read Only Memory）１０１、ＲＡＭ（Random
Access Memory）１０２、ＩＦ（インタフェース部）１０３、ＣＰＵ（Central Processing Unit）１０４及び不揮発性メモリ１０５を有する公知のマイコン制御回路で構成されている。この記録制御部１００は、前述した記録紙Ｐに対する記録実行制御の他、メモリカードスロット９や前記の拡張ユニット（図示せず）に内蔵されたＣＤドライブ等の外部記憶装置３０とのデータ入出力制御並びにＩＦ１０３を介して上記の各操作ボタン類からの操作入力制御及び液晶ディスプレイ２１への表示出力制御を実行する。
【００２８】
液晶ディスプレイ２１に表示されているメインメニュー画面は、上から順に「写真選択」、「用紙／レイアウト」、「編集」、「フレーム」、「ＣＤに保存」、「メンテナンス」及び「セットアップ」の項目で構成されている。このメインメニュー画面において、上ボタンＵ又は下ボタンＤを操作し、「写真選択」を選択してＯＫボタン１９を押下すると、デジタル写真画像の一覧が表示され、その画像一覧表示を観ながら上ボタンＵ、下ボタンＤ、右ボタンＲ又は左ボタンＬを操作してカーソルを上下左右へ移動させることで、記録紙Ｐへ記録を実行する対象やＣＤへ保存する対象となるデジタル写真画像を選択することができる。「用紙／レイアウト」を選択してＯＫボタン１９を押下すると、記録紙Ｐへ記録を実行する際のデジタル画像のレイアウトや記録紙Ｐのサイズ等を設定することができる。「編集」を選択してＯＫボタン１９を押下すると、記録紙Ｐへ記録を実行する際のデジタル画像のトリミングや画質調整等の画像編集を行うことができる。
【００２９】
「フレーム」を選択してＯＫボタン１９を押下すると、記録紙Ｐへ記録を実行する際のデジタル写真画像にフレームを合成等することができる。「ＣＤに保存」を選択してＯＫボタン１９を押下すると、「写真選択」で選択したデジタル写真画像のファイルを前記のＣＤドライブを介してＣＤ等の記憶媒体へ保存することができる。「メンテナンス」を選択してＯＫボタン１９を押下すると、前記の記録ヘッド（図示せず）のノズルチェックやクリーニング、ギャップ調整、インクカートリッジ（図示せず）のインク残量表示等のメンテナンス操作を行うことができる。「セットアップ」を選択してＯＫボタン１９を押下すると、日付設定、縁なしプリント時のはみ出し量の調整、無線通信機能の設定等のセットアップ操作を行うことができる。また、メインメニュー画面においては、ファンクションキー１７には、前の画面に戻るための「戻る」機能が割り当てられており、ファンクションキー１８には、次の画面に進むための「続行」機能が割り当てられている。
【００３０】
つづいて、本発明に係る記録制御部１００の「自動割り当て機能」及び「割り当て変更機能」について説明する。この「自動割り当て機能」及び「割り当て変更機能」は、マイコン制御回路を有する記録制御部１００において実行される記録制御プログラムにより実現される機能である。
【００３１】
図３は、液晶ディスプレイ２１に写真選択画面が表示された状態を図示したものである。
【００３２】
メインメニュー画面（図２）において、上ボタンＵ又は下ボタンＤを操作し、「写真選択」を選択してＯＫボタン１９を押下すると、例えば、メモリカードスロット９に挿入されたメモリカードに保存されているデジタル写真画像の一覧が表示される。ユーザは、この画像一覧表示を観ながら上ボタンＵ、下ボタンＤ、右ボタンＲ又は左ボタンＬを操作してカーソルを上下左右へ移動させることで、記録紙Ｐへ記録を実行する対象やＣＤへ保存する対象となるデジタル写真画像を選択することができる。この写真選択画面において、「特定の操作手段」としてのファンクションキー１７には、既定の機能として写真選択画面で選択可能な全てのデジタル写真画像を選択可能な「全て選択」機能が割り当てられ、「特定の操作手段」としてのファンクションキー１８には、既定の機能としていわゆる「ヘルプ」機能が割り当てられる。
【００３３】
このように、記録制御部１００は、「特定の操作手段」としてのファンクションキー１７、１８には、液晶ディスプレイ２１に択一的に表示される複数の操作画面ごとに当該操作画面で必要とされる既定の機能を自動的に割り当てる「自動割り当て機能」を有している。例えば、前述したように、図２に図示したメインメニュー画面（図２）においては、ファンクションキー１７には、前の画面に戻るための「戻る」機能が割り当てられ、ファンクションキー１８には、次の画面に進むための「続行」機能が割り当てられる。つまり、ファンクションキー１７、１８は、ボタン自体に固定的な機能を有しておらず、操作画面ごとに当該操作画面で必要とされる既定の機能が記録制御部１００によりその都度自動的に割り当てられる。
【００３４】
また、操作画面ごとにファンクションキー１７、１８に割り当てられた機能は、それぞれ図示の如く液晶ディスプレイ２１の下部に表示される。それによって、ユーザは、当該操作画面において、ファンクションキー１７、１８にどのような機能が割り当てられているかを容易に把握して使用することができる。したがって、ユーザの利便性をより向上させることができる。
【００３５】
そして、記録制御部１００は、この「自動割り当て機能」によって操作画面ごとにファンクションキー１７、１８にそれぞれ自動的に割り当てられる既定の機能の一部を操作画面ごとに、ユーザが任意に選択した他の機能に変更することが可能な「割り当て変更機能」を有している。  
以下、写真選択画面（図３）において前記の「全て選択」機能が割り当てられているファンクションキー１７を例に説明する。
【００３６】
図４及び図７は、液晶ディスプレイ２１に「割り当て変更機能」におけるメッセージ表示画面が表示された状態を図示したものである。図５及び図６は、液晶ディスプレイ２１に「割り当て変更機能」における割り当て機能選択画面が表示された状態を図示したものである。
【００３７】
写真選択画面（図３）においてファンクションキー１７には、既定の機能として図示の如く「全て選択」機能が割り当てられる。しかし、ユーザによっては、ファンクションキー１７に他の機能を割り当てて使用したいと考えることもあり得る。そのような場合には、そのファンクションキー１７を３秒以上長押しすると、そのファンクションキー１７に割り当てられる既定の機能を他の機能に変更するかどうかを確認するメッセージが表示される。尚、このメッセージ表示画面においては、ファンクションキー１７、１８には、図示の如く「いいえ」と「はい」をユーザが入力する機能が割り当てられる。この画面においては、「いいえ」を操作すると、元の写真選択画面（図２）へ戻り、「はい」を操作すると、ファンクションキー１７に任意に割り当てる機能をユーザが選択するための割り当て機能選択画面（図５）が液晶ディスプレイ２１に表示される。このように、一定時間以上長押しするという簡単で分かり易い操作により、「割り当て変更機能」の設定画面が表示部に表示されて当該機能を利用可能な状態となるので、ユーザは、ファンクションキー１７、１８の機能を所望の機能に変更することを簡単かつ分かり易い操作で行うことができる。
【００３８】
割り当て機能選択画面（図５）には、所望の機能をユーザが選択して設定可能な機能一覧が表示される。具体的には、前記のメインメニュー画面（図２）と同じ項目一覧が表示される（図５）。そして、ユーザは、ファンクションキー１７に割り当てることの望む機能が属する項目を選択して、当該表示画面で「続行」機能が割り当てられているファンクションキー１８を押下すると、その下の階層の項目一覧を液晶ディスプレイ２１に表示させることができる（図６）また、「戻る」機能が割り当てられているファンクションキー１７を押下することによって、前の表示画面に戻ることができる。
【００３９】
例えば、割り当て機能選択画面（図５）において、「写真選択」の項目を選択して「続行」ボタン（ファンクションキー１８）を押下すると、割り当て機能選択画面の下位階層画面が液晶ディスプレイ２１に表示される（図６）。この画面には、「写真選択」の項目に属する機能の一覧のうち、対象となっている写真選択画面（図３）において利用可能な機能だけが選択可能に表示されている。それによって、ユーザが誤って写真選択画面（図３）において利用できない機能をファンクションキー１７に割り当ててしまうことによる操作性の低下を未然に防止することができ、それによって、利便性をさらに向上させることができる。
【００４０】
そして、例えば、写真選択画面（図３）においてファンクションキー１７に「日付け別で選択」機能を割り当てて利用したいとユーザが望む場合には、その「日付け別で選択」機能を選択して、この表示画面において「選択（決定）」機能が割り当てられているファンクションキー１８を押下する。すると、既定の機能である「全て選択」機能を「日付け別で選択」機能に変更するかどうか確認する旨のメッセージ表示画面（図７）が液晶ディスプレイ２１に表示される。このメッセージ表示画面（図７）においては、ファンクションキー１７、１８には、図示の如く「いいえ」と「はい」をユーザが入力する機能が割り当てられる。
【００４１】
この画面において「いいえ」を操作すると、「写真選択」の項目に属する機能の一覧表示画面（図６）に戻ることができる。一方、この画面において「はい」を操作すると、「自動割り当て機能」において写真選択画面（図３）でファンクションキー１７に割り当てられる機能が、「全て選択」から「日付け別で選択」に変更された状態で元の写真選択画面が表示される（図８）。この「割り当て変更機能」による機能変更設定は、不揮発性メモリ１０５（図２）に保存されるので、インクジェットプリンタ５０の電源をＯＦＦしても設定を保持することができる。したがって、上記の機能変更設定を行った以降は、写真選択画面においては常にファンクションキー１７に「日付け別で選択」機能が自動的に割り当てられることになる（図８）。それによって、インクジェットプリンタ５０の電源を再びＯＮにしたときにユーザが再設定する手間が生じないので、利便性をさらに向上させることができる。  
尚、記録制御部１００は、操作パネル１０の所定の操作によって全ての機能変更設定を既定の設定に戻すことができる機能も有している。
【００４２】
このようにして、操作パネル１０のファンクションキー１７、１８に対して、操作画面ごとに自動的に割り当てられる既定の機能を操作画面ごとにユーザが任意に選択した他の機能に変更することができるので、ユーザのニーズに応じた柔軟にカスタマイズすることができる。それによって、ファンクションキー１７、１８に対する「自動割り当て機能」を有する高度で多機能なユーザインタフェース機能でありながら、「割り当て変更機能」によって高い操作性と利便性も兼ね備えたユーザインタフェース機能を実現することができる。したがって、より高度で多機能なインクジェットプリンタ５０のユーザインタフェース機能を、高い操作性と利便性を実現しつつ図示の如くシンプルかつコンパクトな構成の操作パネル１０で実現することができる。
【００４３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４４】
【図１】本発明に係るインクジェットプリンタ５０の外観を示す斜視図である。
【図２】メインメニュー画面が表示されている状態の操作パネルの正面図である
【図３】写真選択画面が表示された状態を図示したものである。
【図４】割り当て変更機能におけるメッセージ表示画面を図示したものである。
【図５】割り当て変更機能における割り当て機能選択画面を図示したものである
【図６】割り当て変更機能における割り当て機能選択画面を図示したものである
【図７】割り当て変更機能におけるメッセージ表示画面を図示したものである。
【図８】写真選択画面が表示された状態を図示したものである。
【符号の説明】
【００４５】
９  メモリカードスロット、１０  操作パネル、１１  電源スイッチ、１２  表示切替ボタン、１３  メニューボタン、１４  キャンセルボタン、１５  プリント（記録実行）ボタン、１６  保存ボタン、１７、１８  ファンクションキー、１９  ＯＫボタン、２１  液晶ディスプレイ、５０  インクジェットプリンタ、１００  記録制御部、１０１  ＲＯＭ、１０２  ＲＡＭ、１０３  ＩＦ、１０４  ＣＰＵ、１０５  不揮発性メモリ、Ｐ  記録紙
【図１】
2008001026.tif 000003
【図２】
2008001026.tif 000004
【図３】
2008001026.tif 000005
【図４】
2008001026.tif 000006
【図５】
2008001026.tif 000007
【図６】
2008001026.tif 000008
【図７】
2008001026.tif 000009
【図８】
2008001026.tif 000010